(57)【要約】【課題】ヒュートーンシステムにおける色の分類技術を提供する。【解決手段】本発明のカラーチャートは、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色は、区分線により区分され、区分毎に色名が対応付けられて表示される。【選択図】図２
2019082344.tif 000002
【特許請求の範囲】
【請求項１】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを表示し、
色の選択を受け付け、
選択色に対応する色情報を表示することをコンピュータに実現させるコンピュータプログラム。
【請求項２】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを表示し、
色の集計データを読み込み、
前記色に該色のカウント値を対応付けて表示するか、前記集計データにおいて１以上カウントされる色を前記カラーチャートにてプロットするとともに、前記区分毎に、当該区分内のプロット数を対応付けて表示することをコンピュータに実現させるコンピュータプログラム。
【請求項３】
ブラックネスまたはライトネスとサチュレーションとにより定まる同一の第１トーンを有する異なる色相の色が第１方向に並び、
色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、
前記第２トーンの各色は、区分線により区分され、区分毎に色名が対応付けられて表示されるカラーチャート。
【請求項４】
請求項１に記載のカラーチャートにおいて、
前記色名は、色の調子を表す形容詞と、前記形容詞の後に続く基本色彩語であって、色彩を表す専用語である基本色彩語とにより構成されるカラーチャート。
【請求項５】
ブラックネスまたはライトネスと、サチュレーションと、の２軸からなり、区分線が引かれるとともに、前記区分線による区分毎に、色の調子を表す形容詞と、前記形容詞の後に続く基本色彩語であって、色彩を表す専用語である基本色彩語とにより構成される色名が対応付けられて表示されるカラーコードダイヤグラムであって、
前記区分線は、対応する色相が異なる前記カラーコードダイヤグラム間に共通する共通区分線と、対応する色相に特有の補助区分線とを含むカラーコードダイヤグラム。
【発明の詳細な説明】
【技術分野】
【０００１】
この明細書に記載の実施形態は、ヒュートーンシステムによる色の分類技術に関する。
【背景技術】
【０００２】
色相（Ｈｕｅ）およびトーン(Ｔｏｎｅ)によって色を表現するヒュートーンシステムが知られる。
【先行技術文献】
【非特許文献】
【０００３】
[online]、［平成２９年１０月２７日検索］インターネット<URL:http://www.sikiken.co.jp/pccs/pccs04.html>
【発明の概要】
【発明が解決しようとする課題】
【０００４】
ヒュートーンシステムによる色の分類技術は未だ発展の余地がある。
例えば従来のヒュートーンシステムでは、トーンは、人為的に規定されている。
また、ヒュートーンシステムにおける従来のカラーチャートは、比較的少数の色を表示するのに適した態様になっており、色をどのように分類して配置するのかという観点において改良の余地がある。
【０００５】
本発明が解決しようとする課題は、ヒュートーンシステムにおける色の分類技術を提供することである。
【課題を解決するための手段】
【０００６】
本発明のコンピュータプログラムは、カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを表示し、色の選択を受け付け、選択色に対応する色情報を表示することをコンピュータに実現させる。
【０００７】
本発明のコンピュータプログラムは、カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを表示し、色の集計データを読み込み、前記色に該色のカウント値を対応付けて表示するか、前記集計データにおいて１以上カウントされる色を前記カラーチャートにてプロットするとともに、前記区分毎に、当該区分内のプロット数を対応付けて表示することをコンピュータに実現させるコンピュータプログラム。
【０００８】
本発明のカラーチャートは、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色は、区分線により区分され、区分毎に色名が対応付けられて表示される。
【０００９】
本発明では、前記色名は、色の調子を表す形容詞と、前記形容詞の後に続く基本色彩語であって、色彩を表す専用語である基本色彩語とにより構成されてもよい。
【００１０】
本発明のカラーコードダイヤグラムは、ブラックネスまたはライトネスと、サチュレーションと、の２軸からなり、区分線が引かれるとともに、前記区分線による区分毎に、色の調子を表す形容詞と、前記形容詞の後に続く基本色彩語であって、色彩を表す専用語である基本色彩語とにより構成される色名が対応付けられて表示されるカラーコードダイヤグラムであって、前記区分線は、対応する色相が異なる前記カラーコードダイヤグラム間に共通する共通区分線と、対応する色相に特有の補助区分線とを含む。
【図面の簡単な説明】
【００１１】
【図１】コンピュータの構成を示すブロック図である。
【図２】コンピュータが表示するカラーチャートを示す図である。
【図３】図２のカラーチャートの下部に続くカラーチャートを示す図である。
【図４】カラーチャートの等色相断面を示す図である。
【図５】トーンコードダイヤグラムを示す図である。
【図６】色相が９ＲＰ−２．５Ｒ未満のカラーコードダイヤグラムである。
【図７】色相が２．５Ｒ-６．０Ｒ未満のカラーコードダイヤグラムである。
【図８】色相が６．０Ｒ-９．０Ｒ未満のカラーコードダイヤグラムである。
【図９】色相が９．０ｒ−２．５ＹＲ未満のカラーコードダイヤグラムである。
【図１０】色相が２．５ＹＲ-６．０ＹＲ未満のカラーコードダイヤグラムである。
【図１１】色相が６．０ＹＲ-９．０ＹＲ未満のカラーコードダイヤグラムである。
【図１２】色相が９．０ＹＲ-１．５ＹＲ未満のカラーコードダイヤグラムである。
【図１３】色相が１．５ＹＲ-４．０Ｙ未満のカラーコードダイヤグラムである。
【図１４】色相が４．０Ｙ-７．０Ｙ未満のカラーコードダイヤグラムである。
【図１５】色相が７．０Ｙ-１０．０Ｙ未満のカラーコードダイヤグラムである。
【図１６】色相が１０．０Ｙ-７．０ＧＹ未満のカラーコードダイヤグラムである。
【図１７】色相が７．０ＧＹ-２．０Ｇ未満のカラーコードダイヤグラムである。
【図１８】色相が２．０Ｇ-７．０Ｇ未満のカラーコードダイヤグラムである。
【図１９】色相が７．０Ｇ-２．０ＢＧ未満のカラーコードダイヤグラムである。
【図２０】色相が２．０ＢＧ-２．５B未満のカラーコードダイヤグラムである。
【図２１】色相が２．０ｂ-７．５ｂ未満のカラーコードダイヤグラムである。
【図２２】色相が７．５ｂ-５．０ＰＢ未満のカラーコードダイヤグラムである。
【図２３】色相が５．０ＰＢ−８．０ＰＢ未満のカラーコードダイヤグラムである。
【図２４】色相が８．０ＰＢ-１．０ｐ未満のカラーコードダイヤグラムである。
【図２５】色相が１．０ｐ-４．０ｐ未満のカラーコードダイヤグラムである。
【図２６】色相が４．０ｐ-９．０ＲＰ未満のカラーコードダイヤグラムである。
【図２７】設定変更されたカラーチャートの一部を示す図である。
【図２８】詳細トーン５．５−２．２が属する基本分類トーンを示す図である。
【図２９】集計分析用のカラーチャートを示す図である。
【図３０】集計分析用のカラーチャートを示す図である。
【図３１】集計分析用のカラーチャートを示す図である。
【図３２】集計分析用のカラーチャートを示す図である。
【図３３】プロットしたトーンコードダイヤグラムを示す図である。
【図３４】ＰＣＣＳに基づくカラーチャートである。
【図３５】２Ｒの等色相断面を示す図である。
【図３６】１８Ｂの等色相断面を示す図である。
【図３７】vivid toneの各色相と明度の関係を示す図である。
【図３８】pale tone,lightgraysh tone、grayish tone、darkgraysh toneの各色相と明度の関係を示す図である。
【図３９】ＰＣＣＳにおける色相番号１２のカラーコードダイヤグラムである。
【図４０】ＰＣＣＳにおける色相番号１８のカラーコードダイヤグラムである。
【図４１】カラーチャートの表示画面を示す図である。
【図４２】カラーチャートの切替画面を示す図である。
【図４３】「ＮＯＣＳ番号指定」および「プロット」タブを開いた図である。
【図４４】図２のカラーチャートの一部拡大図である。
【図４５】図３０のカラーチャートの一部拡大図である。
【図４６】カラーチャートの表示画面を示す図である。
【発明を実施するための形態】
【００１２】
以下、実施形態について図面を参照しつつ説明する。
図１は、コンピュータ１の構成を示すブロック図である。
コンピュータ１は、後述のトーンコードダイヤグラム３（図５）が示す規定であって、ヒュートーンシステムにおける基本分類トーンを区分する規定をメモリ１２内に備える。本実施形態において、各色相では、基本分類トーンによる区分に加え、各色相独自の区分も規定されている。該各色相における詳細な区分の規定は、後述のカラーコードダイヤグラム４（図６〜図２６）に示される。コンピュータ１は、該各色相における詳細な区分の規定もメモリ１２内に備える。
【００１３】
本実施形態では、ダイヤグラム３、４が示す規定により、色相間のトーン区分を共通化でき、色のトーン分類を従来よりも整合させることができる。コンピュータ１は、ダイヤグラム３、４が示す規定に基づき、カラーチャート２、２Ａ、２Ｂ、５、５Ａ（図２、３、２７、２９〜３２、４０〜４２）を表示できる。
【００１４】
商品の色毎のニーズ等を把握するために色の集計分析が望まれる。コンピュータ１は、ダイヤグラム３、４が示す規定に基づき、色の集計結果を後述の様々な態様のカラーチャート２Ａ、２Ｂ、５、５Ａで表示できる。
【００１５】
コンピュータ１は、プロセッサ１１、メモリ１２、ディスプレイ１３、入力部１４を備える。プロセッサ１１は、メモリ１２内のプラグラムを読み込み、各種の処理を行う。メモリ１２は、プログラムの他、ダイヤグラム３、４の規定や、各種の処理に必要な設定値
カラーチャート２、２Ａ、２Ｂ、５、５Ａの構成色のデータベース等を記憶する。ディスプレイ１３は、ダイヤグラム３、４やカラーチャート２、２Ａ、２Ｂ、５、５Ａ、設定画面等を表示する。入力部１４は、キーボードやマウス、タッチパネル等であり、ユーザの入力を受け付ける。
【００１６】
ヒュートーンシステムとして、ＰＣＣＳ(Practical Color Co-ordinate System)や、ＮＯＣＳ(Nakagawa Original Color System)が知られる。本実施形態のヒュートーンシステムは、ＮＯＣＳ（詳細ＰＣＣＳ）である。ヒュートーンシステムは、色彩調和を主な目的とし、色相とトーンにより色を表す。トーンの効果や、トーンの組み合わせの効果等が理論化されており、ユーザは、トーンの色の組み合わせを理論的に組み合わせ、色彩効果を図ることができる。
【００１７】
ここで、ヒュートーンシステムの色彩分類における系統色名の優位性について説明する。その後、ＰＣＣＳについて説明する。
色彩分類は、色を分類し、分類した色に対して固有の色名を付すことである。色名には、「事物の名前を色の名前として転用した固有色名」と「色彩を表す専用語である基本色彩語」がある。色彩分類には基本色彩語が関係する。
【００１８】
基本色彩語によって色の全領域を分類できる。一つの基本色彩語で表される色群は、基本色彩語を代表する代表色と、代表色以外の色とに別れる。代表色以外の色は、該色をより適切に表現するために、基本色彩語に修飾語を加えて表されることがある。
【００１９】
基本色彩語の大部分は、赤、黄、緑、青などの基本的な色相を表す。基本色彩語に加えられる修飾語は、色合いの偏りを表す形容詞（赤み、黄み、緑み、青み）であったり、色の調子を表す形容詞（あざやか、やわらかい、にぶい、ふかい）であったりする。
【００２０】
本実施形態のカラーシステムであるＮＯＣＳ（詳細ＰＣＣＳ）では、色名として、系統色名を用いる。系統色名は、トーン（色調）と、定義された基本色名の複合語である。系統色名は、系統立てて作成され、色群に対して付される。系統色名は、トーンおよび色相に基づくので、色をトーンおよび色相によって規定するヒュートーンシステムと取り合わせがよい。
【００２１】
ヒュートーンシステムとして、本出願人の財団法人日本色彩研究所が開発したＰＣＣＳ(Practical Color Co-ordinate System)が知られている。図３４は、ＰＣＣＳに基づくカラーチャートである。図３５は、２Ｒの等色相断面を示す図である。図３６は、１８Ｂの等色相断面を示す図である。
ＰＣＣＳでは、２４色相１２トーンで構成され、２４×１２＝１８８色の基準値が定められている。トーンは、彩度（Saturation）と明度(Lightness)によって定義される。マンセルカラーシステムにおいて、各色相の最高彩度（Chroma）は異なる。ＰＣＣＳでも、各色相の最高彩度（Chroma）は異なる。しかし、ＰＣＣＳでは、彩度をSaturationで表現し、各色相の最高彩度を１０s（色票における最高彩度は９ｓ）に揃えている。ＰＣＣＳにおける１８８色の基準値は、色相Ｈ(Hue)，明度Ｖ(Value)，彩度Ｃ（Chroma）によって定められ、マンセルカラーシステム上で定義される。マンセル明度(Value)とトーンの明度(Lightness)は、同値である。
【００２２】
図３７は、vivid toneの各色相と明度の関係を示す図である。図３８は、pale tone,lightgraysh tone、grayish tone、darkgraysh toneの各色相と明度の関係を示す図である。
ＰＣＣＳでは、同一のトーン（vivid tone、pale tone,lightgraysh tone・・）の色は、色相が異なっていても同一彩度(Saturation)であり、明度(Lightness)は異なる。ＰＣＣＳでは、同一トーンの各色相の基準値を求める考え方は規定されているが、基準値間の中間の基準値を求めるアルゴリズムは無い。同一トーンの各基準値の明度は、色相間で漸次的に移行する。同一トーンの色相間における最大明度と最低明度の差は、図３７，３８に参照されるように、トーンによって異なり、彩度(Saturation)が大きいほど大きくなる。
【００２３】
ＰＣＣＳでは、図３８の一点鎖線に示すように、例えばlightgraysh toneとgrayish toneのグラフ間に両グラフと同様のグラフを手書きで加えることで、トーン数を増やすことが可能である。ＰＣＣＳの色名は、トーン記号−色相番号の順に記載する二属性表示で表すことができる。Vivid toneの色相番号２の色名は、ｖ２と記載できる。ＰＣＣＳの色名は、色相−明度(Lightness)−彩度（Saturation）の順に記載する三属性表示でも表すことができる。ＰＣＣＳでは、二属性表示で色を表す方が一般的である。
【００２４】
図３９は、ＰＣＣＳにおける色相番号１２のカラーコードダイヤグラムの例である。図４０は、ＰＣＣＳにおける色相番号１８のカラーコードダイヤグラムの例である。
財団法人日本色彩研究所は、ＰＣＣＳのカラーコードダイヤグラムを考えた。該ダイヤグラムでは、縦軸が明度であり、横軸が彩度（Chroma）である。カラーコードダイヤグラムは、ＰＣＣＳの色相番号毎に設定される。なお、ＰＣＣＳの色相番号１２は、幅を有し、マンセル値で２．０Ｇ〜７．０Ｇの範囲となる。カラーコードダイヤグラムは、ある色相における各トーンの区分を示す。図３９，４０中の各トーンの区分内の黒丸は、該トーンの代表色の座標を示す。
【００２５】
ＰＣＣＳでは、色名をトーン記号−色相番号で表せるところ、ＰＣＣＳのカラーコードダイヤグラムでは、同一のトーン記号（例えばｌｔ）の色であっても、色相毎に該色の代表色の座標及び該色の区分が大きく異なる。そのため、ＰＣＣＳのカラーコードダイヤグラムでは、色を把握しづらい。また、ＰＳＳＣの色を二属性表示で表す場合、色相番号を用いるので、ＰＣＣＳの二属性表示に不慣れな人には色のイメージが伝わりづらい。このように、ＰＣＣＳでは、カラーコードダイヤグラムや色名の付け方に改良の余地がある。
【００２６】
図２、３は、コンピュータ１が表示するカラーチャート２を示す図である。カラーチャート２は、色名を区分する色名区分チャートである。図３のカラーチャート２は、図２のカラーチャート２の続きである。図４４は、図２のカラーチャート２の一部拡大図である。図２、３では、図４４に示すように、実際には各詳細トーン毎および各色相毎に色が並ぶが、色名を明確に表示するために色の表示を図では省略している。図３のblackish toneの色群は、図２のdark grayish toneの色群の下側にある。
【００２７】
カラーチャート２を表示するためのメモリ１２内のデータベースでは、カラーチャート２を構成する各色に対し、色相、サチュレーション、ブラックネス、系統色名、ディスプレイ１３等のハードウェアで該色を表示、印刷するためのｓＲＧＢ等の属性値、後述する色情報（図４１参照）等が対応付けられている。また、データベースは、ダイヤグラム３、４の規定、すなわちヒュートーンシステムにおける基本分類トーンを区分する規定、および系統色名を区分する規定を含む。メモリ１２内には、ヒュートーンシステムの色のある色空間の属性値を、他の色空間の属性値に変換するプログラムがある。メモリ１２内には、ヒュートーンシステムの色のある色空間の属性値を、例えばディスプレイ１３に表示するための属性値に変換したり、該色を印刷するための属性値に変換したりするプログラムがある。
【００２８】
カラーチャート２では、同一の詳細トーンを有する色が横方向（第１方向）に並ぶ（図４４参照）。横方向に並ぶ各色は、色相が異なる。詳細トーンは、ブラックネスとサチュレーションとにより定まる。カラーチャート２の各色は、縁取りの無い四角形で表示される。上下左右の色間には隙間がある（図４４参照）。各色に縁取りがあってもよい。
【００２９】
色相の数は、マンセル色相環の基本１０色相を４分割した４０色相に、８つの中間の色相１．２５Ｒ、６．２５Ｒ、１．２５ＹＲ、３．７５ＹＲ、８．７５ＹＲ、６．２５Ｙ、３．７５ＰＢ、６．２５ＰＢが挿入された４８色相となっている。カラーチャート２では、左端に１０Ｐが配置され、右側に進むにつれ、マンセル色相環における１０Ｐから時計回りに位置する色相が配置される。すなわち、色相の並び順は、左端から１０Ｐ、２．５ＲＰ、５ＲＰ、７．５ＲＰ、１０ＲＰ、１．２５Ｒ、２．５Ｒ・・１０Ｙ・・５Ｂ・・７．５ＰＢとなる。これらマンセル色相の表示は、カラーチャート２の最上段の色の上方に表示される。詳細トーンの色群は、pale tone等の基本分類トーンの色群としてそれぞれまとめられて表示される。図２のカラーチャート２では、各基本分類トーンの色群の下方に、マンセル色相が表示される。
【００３０】
７．５ＰＢの右側には、本実施形態では、再度左端の４つの色相１０Ｐ、２．５ＲＰ、５ＲＰ、７．５ＲＰが配置される。これは、基本分類トーン（例えばpale tone）の色群における系統色名（例えばｐ．Ｐ）の区分のうち、左端の区分の左側の境界を示すためである。例えばpale toneの色群における左端の系統色名ｐ．Ｐの区分の左側の境界は、pale toneの色群の右側を見ることで、２．５Ｐと５Ｐの間に引かれた区分線２１であることが分かる。カラーチャート２において、再度右端に１０Ｐ、２．５ＲＰ、５ＲＰ、７．５ＲＰの色群を配置しなくてもよい。カラーチャート２における左端の色相は、適宜の色相に設定できる。
【００３１】
カラーチャート２では、色相毎に、縦方向（第１方向と交差する第２方向）において、複数の詳細トーン（第１トーン）を内包する基本分類トーン（第２トーン）毎に色が並ぶ（図４４参照）。
【００３２】
詳細トーンは、有彩色において６５段に設定され、Neutral（無彩色）に最も近いoff  Neutralにおいて３２段に設定される。横一列に並ぶ詳細トーン群の左側には、詳細トーンの値が表示される。詳細トーンは、サチュレーション−ハイフン−ブラックネスの順に表示される。例えば、図２中の上から１行目の詳細トーン群の左側には、詳細トーンとして１．５−１と表示される。この表示は、詳細トーン群のサチュレーションが１．５であり、ブラックネスが１であることを示す。複数の詳細トーンの色群に対応付けて基本分類トーンが表示される。本実施形態では、基本分類トーンは、詳細トーンの表示群の左側かつ上側に表示される。
【００３３】
本実施形態では、有彩色に対し、１３種類の基本分類トーンが設定される。基本分類トーンの名称は、pale tone、light tone、bright tone、vivid tone、strong tone、deep tone、soft tone、dull tone、dark tone、light grayish tone、grayish tone、dark grayish tone、blackish toneである。カラーチャート２では、上から上記基本分類トーンの順に色が配置される。
【００３４】
基本分類トーンの名称は、ほとんどがＰＣＣＳにおける基本分類名と同じである。基本分類トーンは、色の調子を表す概念である。同様の調子を受ける詳細トーン群毎に基本分類トーンにまとめられている。
【００３５】
基本分類トーンによって色を区分するのは、基本分類トーンを手掛かりにすることで配色調和が容易になるなど、色彩活用の利便性の向上を図ってのことである。基本分類トーンの色が人に与える印象や、基本分類トーンの色の組み合わせが人に与える印象を色彩効果という。基本分類トーンの色の組み合わせを、印象がよい調和のとれた組み合わせとすることを配色調和という。色彩効果や配色調和については、理論立てられている。従って、「色相」と「基本分類トーン」を手がかりに配色を決めることで、理論的に色彩効果を考慮して配色したり、調和を図って配色したりすることが可能である。
【００３６】
基本分類トーンは、色彩効果や配色調和を狙っての区分であるので、大まかに色群を区分する。基本分類トーンにはトーン名が付され、人が把握しやすくなっている。一方、詳細トーンは、より詳細に色を指定する際に使用されることを想定している。そのため、詳細トーンには、サチュレーション−ブラックネスという基準値そのものが付され、正確に色を指定することが可能になっている。
【００３７】
基本分類トーン内の上下に並ぶ色の間には隙間がある。該隙間よりも、基本分類トーンの色群間の隙間の方が大きくなっている。これにより、基本分類トーンの色群が把握しやすくなっている。また、基本分類トーンの色群は、それぞれ矩形の線で囲まれており、これによっても視認性が高められている。
【００３８】
off  Neutralは、ヒュートーンシステムの色空間において、Neutral（無彩色）に最も近い低サチュレーション（０．２５〜１）の領域を指す。off  Neutralの色群は、blackish toneの色群の下方にある。off  Neutralの色群の左側にoff  Neutralの表示が示される。
【００３９】
Neutralの色群は、off  Neutralの色群の右方に縦一列に表示される（図３では上述したように不図示）。Neutralの色群の下方には、Ｎの文字が表示される。Neutralでは、ブラックネス１６（マンセル明度Ｎ２．０）からブラックネス１（マンセル明度Ｎ９．５）までの色が１ステップずつ表示される。
【００４０】
各基本分類トーンの色群において、色は、ブラックネスの小さい順に上から配置され、ブラックネスが同一の場合、サチュレーションが低い順に上から配置される。なお、各基本分類トーンの色群において、色は、ブラックネスの大きい順に上から配置され、ブラックネスが同一の場合、サチュレーションが高い順に上から配置されてもよい。
【００４１】
図４は、カラーチャート２の等色相断面を示す図である。各色相の等色相断面の座標値（ブラックネス−サチュレーション）は、同一である。図４では、縦軸がブラックネス、横軸がサチュレーションである。図４では、分かりやすくするために、サチュレーション０．５、１．５の色を省略している。
【００４２】
カラーチャート２の設計において、各色相の最も暗い色のブラックネスは２０（マンセル明度Ｎ０）に設定される。該最も暗い色は、サチュレーション０のNeutralの色であり、理想的な黒色である。該最も暗い色は、色相間にわたって固定される。本実施形態のカラーチャート２では、色材を用いた色の再現性を考慮し、ブラックネス１６までの色しかない。各色相におけるNeutralの色において、最も明るい白色も色相間にわたって固定される。該色のブラックネスは１（マンセル明度Ｎ９．５）に設定される。なお、カラーチャート２では、後述するように、ブラックネス１より明るいブラックネスｅ１,ｅ３の色も表示される。
【００４３】
サチュレーションは、Neutral（無彩色）と比較した有彩色の色合いの度合いを指す。カラーチャート２の設計において、サチュレーションは、各色相においてNeutralが０、理想的な純色が１０に設定される。本実施形態のカラーチャート２では、サチュレーション９までの色しか表示しないように設定される。サチュレーションの値を表記する際に、一般的に数値の後ろにＳを記載することがあるが、本明細書では該Ｓを省略することがある。
【００４４】
純色のブラックネスは１に設定される。同一サチュレーションの色において、黒さの度合いは、ブラックネスの値に知覚的に比例する。同一ブラックネスの色において、有彩色の色合いは、サチュレーションの値に知覚的に比例する。
【００４５】
カラーチャート２では、有彩色の領域においては、ブラックネスが奇数のものが表示される。カラーチャート２では、off Neutralの領域では、多様なブラックネスの色が色材に用いられる点を考慮し、偶数のブラックネスの色も設定される（図３参照）。図４では、off Neutralの領域における偶数のブラックネスの色、およびサチュレーション０．５の色を省略している。
【００４６】
カラーチャート２は、再現可能な領域の端までの色を再現するとの設計思想に基づいている。カラーチャート２では、色材を用いた色の再現性の限界を考慮して、ブラックネスの最高値が有彩色で１５、off Neutral、Neutralで１６に設定されているとともに、サチュレーションの最高値が９に設定される。
【００４７】
上述のように、カラーチャート２の設計では、各色相における理想的な純色のサチュレーションを１０に統一している。色相間において、ブラックネスおよびサチュレーションが同一の色であっても、マンセル彩度（Chrome）は異なる。本出願人は、本出願人による特許第5941041号に示されるように、各色相におけるブラックネスおよびサチュレーションの値を、マンセル彩度等の心理物理量に変換する方法、アルゴリズムを見出している。なお、心理物理量は、マンセルシステム、XYZシステム、L*a*b*システム、sRGBシステム等の各属性値である。
【００４８】
カラーチャート２において、各色相における各色のトーンは、アルゴリズムにより、同一の理論の下で系統的に設定されている。各色相における色を文献「RelationshipsamongChromatic Tone，Perceived Lightness，and Degree of Vividness.Yoshinobu Nayatani，Hitoshi Komatsubara, COLOR research and application, Volume30，Number3，June2, p221-234」に示されるNTsystem上に変換した際に、同一サチュレーションの色は、黒色点を通る回帰線への相関係数が一定以内となる。ブラックネスが等しい色は、NTsystemにおいて原点からの距離が等しくなる。NTsystemは、人により知覚される色の明るさを示す等価明度、人により知覚される色の鮮やかさを示す鮮やかさ感の２軸からなるカラーシステムである。
【００４９】
サチュレーション４〜９では、ブラックネス１の色よりも明るい色を、色材を用いて再現できる。色間を規定する上記アルゴリズム上では、これらの色のブラックネスはマイナス値となる。そのため、本実施形態では、ブラックネス１の系統の色よりも明るい色のブラックネスの値に、マイナス値を示すeを付している。
【００５０】
図２、３に戻り、カラーチャート２において、有彩色として表示する色の最低のサチュレーションは１．５に設定される。カラーチャート２において、off  Neutralの色群のサチュレーションは、０．５または１に設定される。
【００５１】
カラーチャート２において、基本分類トーンの各色群は、区分線２１により区分される。区分毎に系統色名が対応付けられる。例えば、pale toneの色群において、２．５ＲＰと５ＲＰの間に引かれた区分線２１の左側の区分内には、系統色名としてｐ．Ｐ(pale Purple)が表示される。２．５ＲＰと５ＲＰの間に引かれた区分線２１と、７．５ＲＰと１０ＲＰの間に引かれた区分線２１とによる区分内には、系統色名としてｐ．ｐＰＩ(pale purple Pink)が表示される。本実施形態では、系統色名は略して表示されるが、略さないで表示されてもよい。
【００５２】
系統色名は、基本的にＰＣＣＳの系統色名が用いられる。例えば、pale toneの色群における左端の区分から右端の区分まで、順次、以下の系統色名が付けられている。p.P(pale Purple)、p.pPI(pale purplish Pink）、p.PI(pale Pink）、p.yPI(pale yellowish Purple)、p.BE(pale Beige)、p.rY(pale reddish Yellow)、p.Y(pale Yellow)、p.gY(pale greenish Yellow)、p.YG(pale Yellow Green)、p.G(pale Green)、p.BG(pale Blue Green)、p.gB(pale greenish Blue)、p.B(pale Blue)、p.PB(pale Purple Blue)、p.P(pale Purple)、p.pPI(pale purplish Pink）。
【００５３】
系統色名は、色の調子(tone)を表す形容詞＋基本色彩語となっている。色の調子を表す形容詞は、例えばp.Pにおけるpであり、該色が属する基本分類トーンの名称から「tone」を除いたものが付される場合が多い。色の調子を表す形容詞は、paleやlight、deep等である。基本色彩語は、Purpleやpurplish Pink、yellowish Purple等である。
【００５４】
区分線２１は、基本的に色相のみを区分する。しかし、pale toneにおけるp.BEとp.rYの間の区分線２１は、詳細トーンを区分するように折れ曲がっている。また、bright toneの色群における赤色の領域では、詳細トーン間も区分する区分線２１が引かれ、系統色名が詳細に付されている。deep toneにおけるオレンジ色の領域、dull toneにおけるブラウン色の領域、dark toneにおけるオリーブ色の領域、grayish toneにおけるブラウンの領域も同様である。区分線２１が区分する色相の位置は、有彩色の各基本分類トーンにおいては共通することが多い。
【００５５】
カラーチャート２における基本分類の詳細トーンの数は、設定により自由に数を変更できる。コンピュ−タ１は、アルゴリズムにより、設定した色域内にある任意の色相、詳細トーン（ブラックネス、サチュレーション）による色を生成できるからである。コンピュータ１は、基本分類トーンが含む詳細トーンの設定や、後述するトーンコードダイヤグラム３の規定、および後述するカラーコードダイヤグラム４の規定に基づき、カラーチャート２を生成して表示できる。コンピュータ１は、該カラーチャート２において、基本分類トーンの色群内に区分線２１を引き、各区分に系統色名を対応付けて表示できる。
【００５６】
off  Neutralの色群にも、区分線２１が引かれる。区分線２１は、ブラックネスを区分するように左右に亘って引かれる。区分線２１により区分されたブラックネス１から３までの色群に対し、系統色名としてoff WHITEが付される。ブラックネス４から６までの色群に対し、off light Grayが付される。ブラックネス７から１２までの色群に対し、off Grayが付される。ブラックネス１３から１５までの色群に対し、off dark Grayが付される。ブラックネス１６の色群に対し、off BLACKが付される。
【００５７】
off  Neutralでは、色相間の色の差は微差である。そのため、カラーチャート２のoff  Neutralでは、詳細トーンのみで色が区分され、色相毎では色は区分されていない。コンピュータ１は、設定により、off  Neutralにおいて、有彩色の領域と同様に、詳細トーンおよび色相間で色を区分できる。コンピュータ１は、後述の図６〜２６のカラーコードダイヤグラム４に参照されるように、各区分に系統色名を付すことができる。
【００５８】
図５は、トーンコードダイヤグラム３である。図５では、縦軸がブラックネス、横軸がサチュレーションである。
トーンコードダイヤグラム３は、ブラックネスおよびサチュレーションによる色空間において、基本分類トーンの区分の規定を共通区分線３０１〜３２１によって示す。該区分の規定は、色相間で共通である。後述する色相ごとのカラーコードダイヤグラム４は、共通して共通区分線３０１〜３２１を有する。コンピュータ１は、ダイヤグラム３が示す規定をメモリ１２内に有し、該規定等を用いてカラーチャート２、２Ａ、５、５Ａや該トーンコードダイヤグラム３、および後述するカラーコードダイヤグラム４を作成できる。ダイヤグラム３が示す規定は、ブラックネスおよびサチュレーションによる色空間における共通区分線３０１〜３２１あるいは基本分類トーンの区分を含む。
【００５９】
トーンコードダイヤグラム３の規定は、サチュレーション０から、サチュレーション０．２５に沿う共通区分線３０１までの領域をNeutralとして区分する。トーンコードダイヤグラム３の規定は、共通区分線３０１、およびサチュレーション１．２５に沿う共通区分線３０２で区分される範囲をoff Neutralとして区分する。
【００６０】
トーンコードダイヤグラム３の規定では（後述するカラーコードダイヤグラム４の詳細区分線に関する規定でも同じ）、ブラックネスの軸方向に沿う共通区分線（例えば共通区分線３０１）上の詳細トーンは、共通区分線で隣り合う区分のうち、サチュレーションが大きい側の区分に入る。例えば、共通区分線３０１上の詳細トーンは、共通区分線３０１、３０２による区分側に入る。トーンコードダイヤグラム３の規定では、サチュレーションの軸方向に沿う共通区分線（例えば共通区分線３０３）上の詳細トーンは、共通区分線で隣り合う区分のうち、ブラックネスが大きい側の区分に入る。なお、区分線上の詳細トーンが、区分線を境界として隣り合う区分のいずれに属するかについては適宜に設定できる。
【００６１】
トーンコードダイヤグラム３の規定は、共通区分線３０２、ブラックネス２．７５に沿う共通区分線３０３、およびサチュレーション３．５に沿う共通区分線３０４で区分される領域を基本分類トーンのpale toneとして区分する。コンピュータ１は、トーンコードダイヤグラム３を表示する際には、有彩色の領域の各区分内に該区分の基本分類トーンを表示する。本実施形態では、コンピュータ１は、例えばPaleをＰと表示し、基本分類トーンを略して表示するが、基本分類トーンを略さないで表示してもよい。共通区分線３０３は、共通区分線３０２および後述する共通区分線３１５間にある。共通区分線３０４は、ブラックネスe３（eの無限大、以下同）〜１２．２５間にある。
【００６２】
トーンコードダイヤグラム３の規定は、共通区分線３０２、３０３、３０４、ブラックネス６．２５に沿う共通区分線３０５で区分される領域を基本分類トーンのlight grayish toneとして区分する。トーンコードダイヤグラム３の規定は、共通区分線３０２、３０４、３０５、ブラックネス１０．２５に沿う共通区分線３０６で区分される領域を基本分類トーンのgrayish toneとして区分する。共通区分線３０５、３０６は、共通区分線３０２、３０４間にある。
【００６３】
トーンコードダイヤグラム３の規定は、共通区分線３０２、３０４、３０６、ブラックネス１４．２５に沿う共通区分線３０７、共通区分線３０４、サチュレーション２．５に沿う共通区分線３０８、ブラックネス１２．２５に沿う共通区分線３０９で区分される領域を基本分類トーンのdark grayish toneとして区分する。共通区分線３０８は、ブラックネス１２．２５〜１７（ブラックネス２０、以下同）間にあり、共通区分線３０９は、サチュレーション２．５〜３．５間にある。
【００６４】
トーンコードダイヤグラム３の規定は、共通区分線３０３、３０４、サチュレーション６．５に沿う共通区分線３１０で区分される領域を基本分類トーンのlight toneとして区分する。共通区分線３１０は、ブラックネスe３〜８．２５間にある。
【００６５】
トーンコードダイヤグラム３の規定は、共通区分線３０３、３０４、３１０、ブラックネス５．２５に沿う共通区分線３１１で区分される領域を基本分類トーンのsoft toneとして区分する。共通区分線３１１は、共通区分線３０４、３１０間にある。
【００６６】
トーンコードダイヤグラム３の規定は、共通区分線３０４、３１０、３１１、ブラックネス９．２５に沿う共通区分線３１２、サチュレーション５．５に沿う共通区分線３１３、ブラックネス８．２５に沿う共通区分線３１４で区分される領域を基本分類トーンのdull toneとして区分する。共通区分線３１３は、ブラックネス８．２５〜１７間にある。共通区分線３１２は、共通区分線３０４、３１３間にある。共通区分線３１４は、共通区分線３１０、３１３間にある。
【００６７】
トーンコードダイヤグラム３の規定は、共通区分線３０４、３０８、３０９、３１２、３１３で区分される領域を基本分類トーンのdark toneとして区分する。
【００６８】
トーンコードダイヤグラム３の規定は、共通区分線３０３、３１０、サチュレーション８．５に沿う共通区分線３１５、ブラックネスe０．５に沿う共通区分線３１６で区分される領域を基本分類トーンのbright toneとして区分する。共通区分線３１５は、ブラックネスe０．５および後述する共通区分線３１７間にある。共通区分線３１６は、共通区分線３１５〜サチュレーション９（サチュレーション１０、以下同）間にある。
【００６９】
トーンコードダイヤグラム３の規定は、共通区分線３０３、３１０、３１５、ブラックネス６．２５に沿う共通区分線３１７で区分される領域を基本分類トーンのsoft toneとして区分する。共通区分線３１７は、共通区分線３１０〜サチュレーション９間にある。
【００７０】
トーンコードダイヤグラム３の規定は、共通区分線３１０、３１３、３１４、３１７で区分される領域を基本分類トーンのdeep toneとして区分する。
【００７１】
トーンコードダイヤグラム３の規定は、共通区分線３１５、３１６、３１７で区分される領域を基本分類トーンのvivid toneとして区分する。
【００７２】
トーンコードダイヤグラム３の規定は、共通区分線３０２、マンセル明度Ｎ８．２５に対応するブラックネスに沿う共通区分線３１８で区分される領域を系統色名のoff WHITEとして区分する。
【００７３】
トーンコードダイヤグラム３の規定は、共通区分線３０２、３１８、マンセル明度Ｎ６．７５に対応するブラックネスに沿う共通区分線３１９で区分される領域を系統色名のoff light Grayとして区分する。
【００７４】
トーンコードダイヤグラム３の規定は、共通区分線３０２、３１９、マンセル明度Ｎ３．７５に対応するブラックネスに沿う共通区分線３２０で区分される領域を系統色名のoff Grayとして区分する。
【００７５】
トーンコードダイヤグラム３の規定は、共通区分線３０２、３２０、マンセル明度Ｎ２．２５に対応するブラックネスに沿う共通区分線３２１で区分される領域を系統色名のoff dark Grayとして区分する。
【００７６】
トーンコードダイヤグラム３の規定は、共通区分線３０２、３２１で区分される領域を系統色名のoff BLACKとして区分する。
以上のように共通区分線３０１〜３２１は、ブラックネスまたはサチュレーションの軸方向に沿う。
【００７７】
トーンコードダイヤグラム３上には、カラーチャート２に表示される詳細トーンの座標（ブラックネス、サチュレーション）が黒点で表示される。カラーチャート２の設定では、有彩色において、サチュレーションは、１．５と、２から９まで１ステップ間隔の値とが用いられる。ブラックネスは、１から１５まで２ステップ間隔の値が用いられる。
【００７８】
off Neutralでは、サチュレーションとして０．５、および１が用いられる。ブラックネスは、１から１６まで１ステップ間隔の値が用いられる。壁装材や景観関係等の色材では、off Neutraにおいて多様なブラックネスの色が用いられる。本実施形態では、カラーチャート２のoff Neutralでは、他の基本分類トーンよりも詳細トーンが細かく表示される。そのため、ユーザは、カラーチャート２を用いて建材等の色に対応する色を詳細に検索できる。カラーチャート２のpale tone、light grayish tone、grayish tone、dark grayish tone、blackish toneでは、サチュレーション１．５の色が挿入されている。これも、off Neutral近辺の色を細分化し、ユーザによる色の検索性を向上させる意図である。
【００７９】
dark toneでは、サチュレーション３、ブラックネス１４に詳細トーンが設定されている（図２）。該詳細トーンのブラックネスは、本来１３に設定されるのが表示色の規則性から望ましい。しかし、サチュレーション３、ブラックネス１３の詳細トーンは、再現性が低いため、該色のブラックネスを１３から１４へずらしている。
【００８０】
トーンコードダイヤグラム３の規定では、基本分類トーンに対応する各区分において、代表色が定められている。トーンコードダイヤグラム３において、代表色は、丸で囲まれた黒点により表示される。トーンコードダイヤグラム３中の代表色と同じ座標（サチュレーション−ブラックネス）の各色相の色は、各色相の代表色となる。同一の基本分類トーンに属する異なる色相の代表色を表示することにより、あるいはカラーサンプルとして紙等に印刷することにより、同一の基本分類トーンに属する異なる色相の色を比較できる。
【００８１】
図６は、色相が９ＲＰ−２．５Ｒ未満のカラーコードダイヤグラム４を示す図である。図６および後述の図７〜図２６では、縦軸がブラックネス、横軸がサチュレーションである。
カラーコードダイヤグラム４は、対応する色相の詳細トーン空間において、共通区分線３０１〜３２１および詳細区分線４０１〜４０５により、系統色名の区分の規定を示す。カラーコードダイヤグラム４では、色相間に亘って共通する区分が共通区分線３０１〜３１７により示される。カラーコードダイヤグラム４では、各色相に固有の区分が詳細区分線４０１〜４０５により示される。カラーコードダイヤグラム４が示す規定は、ブラックネスおよびサチュレーションによる色空間における共通区分線３０１〜３２１および詳細区分線４０１〜４０５あるいは系統色名の区分を含み、メモリ１２に記憶される。
【００８２】
詳細区分線４０１〜４１０も、共通区分線３０１〜３１７と同様、ブラックネスの軸方向、またはサチュレーションの軸方向に延びる。各色相のカラーコードダイヤグラム４上には、トーンコードダイヤグラム３と同様に、カラーチャート２に表示される詳細トーンの座標（ブラックネス、サチュレーション）が示される。
【００８３】
コンピュータ１は、カラーコードダイヤグラム４が示す規定をメモリ１２内に有する。コンピュータ１は、該規定を用いて、カラーチャート２、２Ａ、５、５Ａを作成できる（区分線２を引いたり、系統色名を付すために用いられる）。コンピュータ１は、該規定を用いて、カラーコードダイヤグラム４をディスプレイ１３に表示できる。コンピュータ１は、該規定を用いて、所定の色相のカラーコードダイヤグラム４上に色の集計結果を表示できる。
【００８４】
図６のカラーコードダイヤグラム４では、bright toneの領域（図５参照）に詳細区分線４００〜４０２がある。詳細区分線４００は、サチュレーション８．５に沿いブラックネスe２.０からe０．５まで延びる。詳細区分線４０１は、ブラックネスe０．５に沿い共通区分線３１０、３１５の間にある。詳細区分線４０２は、ブラックネスe２に沿いサチュレーション８．５から９まで延びる。
【００８５】
図６のカラーコードダイヤグラム４の規定は、bright toneの領域において、共通区分線３０３、３１０、３１５、詳細区分線４０１で区分される領域を系統色名dp.PIとして区分し、共通区分線３０３、詳細区分線４００〜４０２で区分される領域を系統色名s.PIとして区分し、共通区分線３１６、詳細区分線４００、４０２で区分される領域を系統色名b.pRとして区分する。赤色の色相では、商品等において多様な詳細トーンが使用されるため、本実施形態では、他の色相よりも系統色名が細かく付けられ、色の検索性の向上が図られている。
【００８６】
以下、各色相のカラーコードダイヤグラム４について、該ダイヤグラム４に用いられる詳細区分線を中心に簡略に説明する。
図７は、色相が２．５Ｒ−６．０Ｒ未満のカラーコードダイヤグラム４を示す図である。
図７のカラーコードダイヤグラム４では、図６と同様の詳細区分線４００〜４０２が用いられる。
【００８７】
図８は、色相が６．０Ｒ−９．０Ｒ未満のカラーコードダイヤグラム４を示す図である。
図８のカラーコードダイヤグラム４では、詳細区分線４００〜４０２、および詳細区分線４０３、４０４が用いられる。詳細区分線４０３は、ブラックネス８．２５に沿うとともに、共通区分線３０２、３１３の間にあり、共通区分線３１４に繋がる。詳細区分線４０４は、ブラックネス９．２５に沿い、共通区分線３１２繋がり、共通区分線３１３からサチュレーション９まで延びる。
【００８８】
図９は、色相が９．０ｒ−２．５ＹＲ未満のカラーコードダイヤグラム４を示す図である。
図９のカラーコードダイヤグラム４では、詳細区分線４００〜４０４が用いられる。
【００８９】
図１０は、色相が２．５ＹＲ−６．０ＹＲ未満、図１１は、色相が６．０ＹＲ−９．０ＹＲ未満、図１２は、色相が９．０ＹＲ-１．５ＹＲ未満のカラーコードダイヤグラム４である。
図１０〜１２のカラーコードダイヤグラム４では、詳細区分線４０３、４０４が用いられる。
【００９０】
図１３は、色相が１．５ＹＲ-４．０Ｙ未満のカラーコードダイヤグラム４を示す図である。
図１３のカラーコードダイヤグラム４では、詳細区分線４０５が用いられる。詳細区分線４０５は、ブラックネス１２．２５に沿い、共通区分線３０４、３１３の間にあり、共通区分線３０９に繋がる。
【００９１】
図１４は、色相が４．０Ｙ−７．０Ｙ未満、図１５は、色相が７．０Ｙ−１０．０Ｙ未満、図１６は、色相が１０．０Ｙ−７．０ＧＹ未満のカラーコードダイヤグラム４を示す図である。
図１４〜図１６のカラーコードダイヤグラム４では、詳細区分線４０５が用いられる。
【００９２】
図１７は、色相が７．０ＧＹ−２．０Ｇ未満、図１８は、２．０Ｇ−７．０Ｇ未満、図１９は、７．０Ｇ−２．０ＢＧ未満、図２０は、２．０ＢＧ−２．５Ｂ未満、図２１は、２．０Ｂ−７．５Ｂ未満、図２２は、７．５Ｂ−５．０ＰＢ未満、図２３は、５．０ＰＢ−８．０ＰＢ未満、図２４は、８．０ＰＢ−１．０Ｐ未満、図２５は、１．０Ｐ−４．０ＲＰ未満、図２６は、４．０ＲＰ−９．０ＲＰ未満のカラーコードダイヤグラム４を示すである。
図１７〜２６のカラーコードダイヤグラム４では、詳細区分線４００〜４０５は用いられない。
【００９３】
コンピュータ１は、上記ダイヤグラム３、４の規定を用いて、ユーザによる任意の設定でカラーチャート２、２Ａ、５、５Ａを作成し、表示できる。コンピュータ１は、カラーコードダイヤグラム４において系統色名を区分外に表示してもよいし、表示する詳細トーンの数や値を任意に設定できる。
【００９４】
図２７は、設定変更されたカラーチャート２の一部を示す図である。図２８は、詳細トーン５．５−２．２が属する基本分類トーンを示す図である。
例えば、コンピュータ１は、カラーチャート２に、詳細トーン５．５−２．２を加えるとの設定を受け付けることができる。コンピュータ１は、図２８に参照されるように、トーンコードダイヤグラム３の規定を用いて、詳細トーン５．５−２．２が属する基本分類トーン（light tone）を特定する。コンピュータ１は、各色相のカラーコードダイヤグラム４の規定を用いて、詳細トーン５．５−２．２の各色相における系統色名の区分を特定する。そして、コンピュータ１は、図２７の２点鎖線で囲った部分に参照されるように、light toneの色群に詳細トーン５．５−２．２の色群を付加し、必要に応じて区分線２１を変更してカラーチャート２を表示する。
【００９５】
コンピュータ１は、ダイヤグラム３、４の規定を用いることで、色の座標値から色の系統色名を特定してユーザに報知できる。例えば、コンピュータ１は、任意のカラーチャート２、２Ａ、５、５Ａから選択される特定の色、あるいは入力される任意のカラーシステムの属性値から、ダイヤグラム３、４の規定を用いて該色の系統色名を特定し、該系統色名をディスプレイ１３に表示できる。コンピュータ１は、各色に様々な情報（系統色名の他、該色の商品や、webページのリンク等）を紐づけたデータベースを有していてもよく、選択色に紐づけられた情報を表示したり、選択色に紐づけられたアクション（例えば選択色に紐づけられたwebページへのアクセス）を行ってもよい。
【００９６】
図２９は、集計分析用のカラーチャート２Ａの一部を示す図である。
コンピュータ１は、コスメや車の品揃え等を色毎にカウントした集計データを取得し、集計データに基づくカラーチャート２Ａ、５、５Ａを表示できる。例えば、コンピュータ１は、各色のカウント数等をカラーチャート２にプロットした図２９のカラーチャート２を集計分析のツールとして提供できる。図２９のカラーチャート２Ａは、図２のカラーチャート２を集計分析用に変更したチャートである。
【００９７】
図２のカラーチャート２では、系統色名は区分内に表示されたが、図２９のカラーチャート２Ａでは、系統色名は該当する区分に対応付けられて例えば区分の上方や下方に表示される。該当する区分の下上両側に区分がある場合、該当する区分内に系統色名が表示される。コンピュータ１が取得する集計データ中の色の属性値は、ヒュートーンシステムの色相および詳細トーンとする。しかし、他のカラーシステムの属性値は、ヒュートーンシステムの色相および詳細トーンに変換できるので、集計データ中の色の属性値は、他のカラーシステムの属性値（例えばマンセル色相、明度、彩度）であってもよい。
【００９８】
コンピュータ１は、集計データでカウント数が１以上の色について、カラーチャート２Ａの色の上にプロットする。コンピュータ１は、系統色名の区分毎に、区分内の色のカウント数の合計を、該区分に対応付けて表示する、本実施形態では、区分内に合計を表示する。
【００９９】
コンピュータ１は、基本分類トーンの各詳細トーンの色群の右側に集計ボックス２２を表示するとともに、最上段の集計ボックス２２の上に集計ボックス２３を表示する。コンピュータ１は、集計ボックス２２内に、該集計ボックス２２に対応する詳細トーンの色群の色のカウント数の合計を表示する。コンピュータ１は、集計ボックス２３内に、該集計ボックス２３に対応する基本分類トーンの色群の色のカウント数の合計（集計ボックス２２に表示されるカウント数の合計）を表示する。
【０１００】
図３０、３１は、集計分析用のカラーチャート５を示す図である。図３１のカラーチャート５は、図３０のカラーチャート５の下方に配置される。図４５は、図３０のカラーチャート５の一部拡大図である。
コンピュータ１は、系統色名を表示しない集計分析用のカラーチャート５を作成してもよい。コンピュータ１は、図２９のカラーチャート２Ａでは、色相１０Ｐを右端に配置したが、カラーチャート５のように、左端に色相１０ＰＢを配置し（図４５参照）、マンセル色相環にて１０ＰＢから時計回りに配置されるべき色相を、色相１０ＰＢから右側に順次配置してもよい。
【０１０１】
コンピュータ１は、上下方向における基本分類トーンのユーザによる任意の配置設定を受け付ける。カラーチャート５では、基本分類トーンは、上からv(vivid tone)、s(strong tone)、b(bright tone)、dp(deep tone)、sf(soft tone)、d(dull tone)、dk(dark tone)、p(pale tone)、lt(light tone)、ltg(light grayish tone)、g(grayish tone)、dkg(dark grayish tone)、bk(blackish tone)の順に配置される。カラーチャート５では、基本分類トーンをさらに大基本分類トーンにまとめており、基本分類トーンの左側に大基本分類トーンの名称が表示される。
【０１０２】
基本的に基本分類トーンと大基本分類トーンは一致する。大基本分類トーンのv(vivid tone)は、基本分類トーンのv(vivid tone)およびs(strong tone)を含む。大基本分類トーンのd(dull tone)は、基本分類トーンのsf(soft tone)およびd(dull tone)を含む。大基本分類トーンのg(grayish tone)は、基本分類トーンのg(grayish tone)、dkg(dark grayish tone)、およびbk(blackish tone)を含む。
【０１０３】
カラーチャート５では、色相および詳細トーンによって配列表示される色（色票）は、色領域５１、および色領域５１の下方にありカウント数を表示するカウント数表示領域５２を含む。コンピュータ１は、集計データに基づき、各色のカウント数表示領域５２に、該色のカウント数を表示する。コンピュータ１は、詳細トーンの表示と該詳細トーンの色群との間に集計ボックス５３を表示し、集計ボックス５３内に、対応する詳細トーンの色群におけるカウント数の合計を表示する。
【０１０４】
コンピュータ１は、基本分類トーンをボックス５４内に表示し、ボックス５４内に、該基本分類トーンの色群の色のカウント数の合計を表示する。コンピュータ１は、大基本分類トーンをボックス５５内に表示し、ボックス５５内に、該大基本分類トーンに属する色群の色のカウント数の合計を表示する。コンピュータ１は、各色相名の上方に、該色相に属する色のカウント数の合計を表示する。カラーチャート５では、例えば色相１０ＰＢ（マンセル色相４１）の表示の上に、色相１０ＰＢに属する色のカウント数の合計１が表示される。
【０１０５】
Off Neutralの領域でも、有彩色の領域と同様、配列表示される色（色票）は、色領域５１およびカウント数表示領域５２を含む。基本分類トーンに対応する名称（off White、off light Gray、off Gray、off dark Gray、off BLACK）が、基本分類トーンの名称と同様、色群に対応付けられて詳細トーンの左側に配置され、ボックス５４に囲まれる。ボックス５４と、対応する色群の間に、詳細トーンの表示および集計ボックス５３があるのは、有彩色の領域と同様である。
【０１０６】
Neutralの領域でも、配列表示される色（色票）は、色領域５１およびカウント数表示領域５２を含む。なお、カウント数表示領域５２は、色領域５１に対応付けて表示されていれば、色領域５１に対して上下左右のどの位置にあってもよい。各色に対し、基本分類トーンに対応する名称（off White、off light Gray、off Gray、off dark Gray、off BLACK）が各色群の左側に配置され、ボックス５４に囲まれる。
【０１０７】
図３２は、集計分析用のカラーチャート５Ａを示す図である。
コンピュータ１は、ダイヤグラム３、４の規定を用いて、カラーチャート５よりも簡素化した集計分析用のカラーチャート５Ａを表示できる。カラーチャート５Ａでは、色相が、PURPLE BLUE、PURPLE、RED  PURPLE、PINK等、系統色名の系列名、または類似する系列名毎にまとめられている。カラーチャート５Ａにおいて、BEIGEとBROWNという類似する系列名の色は、縦方向に並べられている。YELLOWとOLIVE、YELLOW  GREENとOLG（OLIVE GREEN）、light BLUEとdark BLUEとBLUEという類似する系統列名の色も、それぞれ縦方向にまとめられている。カラーチャート５Ａでは１系統色名に対し、予め定められた１色が表示される。
【０１０８】
例えば、図２のカラーチャート２（カラーコードダイヤグラム４の規定）では、系統色名でＰＩＮＫ系列は、すなわち、系統色名にＰＩＮＫが付された色は、pale toneでは、p.pPI、p.pI、p.yPIがあるので、コンピュータ１は、カラーチャート５Ａにおいて、pale（tone）、PINKの座標位置に系統色名p.pPI、p.pI、p.yPIに属する色を表示する。
【０１０９】
一方、図２のカラーチャート２（カラーコードダイヤグラム４の規定）では、vivid toneの色に系統名ＰＩＮＫに属する色は無い。従って、コンピュータ１は、カラーチャート５Ａにおいて、vivid （tone）、PINKの座標位置には色を表示しない。vivid toneでは、赤色系の系統色名は、v.RP、v.pR、v.R、v.yRとなる。そこで、コンピュータ１は、系統色名v.RPの色を、vivid （tone）、RED  PURPLUEの座標位置に表示し、系統色名v.pR、v.R、v.yR色を、vivid （tone）、RED  の座標位置に表示する。
【０１１０】
カラーチャート５Ａでも、有彩色の領域に配列表示される色（色票）は、色領域５１およびカウント数表示領域５２を含む。基本分類トーンはボックス５４内に表示され、ボックス５４内に、該基本分類トーンに属する色のカウント数の合計が表示される。系列名もボックス５５内に表示され、ボックス５５内に、系統名に属する色のカウント数の合計が表示される。
【０１１１】
Off Neutral領域では、基本分類トーンに対応する名称（off White、off light Gray、off Gray、off dark Gray、off BLACK）に対し、それぞれ、系統名（Neutral、pinkish、brownish、yellowish、greenish、bluish、purplish）に属する色が対応付けられて表示される。本実施形態では、基本分類トーンに対応する名称の右側に、該基本分類トーンに対応する名称および系統名に属する色が横一列に表示される。Neutralの色は、系統名に属する色と同列に扱われる。
【０１１２】
基本分類トーンに対応する名称はボックス５７内に表示され、基本分類トーンに対応する名称および系統名に属する色は、ボックス５８内に表示される。ボックス５７内に、該基本分類トーンに対応する名称に属する色のカウント数の合計が表示される。ボックス５８内に、基本分類トーンに対応する名称および系統名に属する色のカウント数の合計が表示される。
【０１１３】
コンピュータ１は、図３３に示すように、集計データ中のカウントが１以上の全色相における色をトーンコードダイヤグラム３にプロットできる。このようにすることで、集計データ中の全色相における色の詳細トーンの傾向が一目でわかる。コンピュータ１は、集計データにおける任意の色相範囲の色をトーンコードダイヤグラム３にプロットしてもよい。コンピュータ１は、集計データの色を、各色相範囲のカラーコードダイヤグラム４にプロットにしてもよい。このように、ユーザは、プロットする対象のダイヤグラム３、４、およびプロットする色の色相範囲を変えることで、集計データの色の傾向をより把握できる。
【０１１４】
図４１は、カラーチャート２の表示画面６を示す図である。
コンピュータ１は、カラーチャート２のビューアをメモリ１２から読み込み、ビューアによりカラーチャート２の表示画面６を表示できる。
【０１１５】
コンピュータ１は、おおよそ３２０色相×１４００トーン、４５万色の基準値のデータベースを有する。４５万色の基準値のデータから選ばれたおおよそ４８色相×９５トーン、４５００色の基準値のデータベースもある。ビューアは、該４５００色のデータベースに基づき、カラーチャート２を表示する。なお、コンピュータ１は、カラーチャート２の構成色の色相数やトーン数の設定をユーザから受け付け、４５万色の基準値のデータベースから、該設定に応じた色を抽出してカラーチャート２を表示できる。コンピュ−タ１は、アルゴリズムにより、設定した色域内にある任意の色相、詳細トーン（ブラックネス、サチュレーション）の色を生成できる。そのため、４５万色の基準値のデータベースに無い色であっても、受け付ける色相数やトーン数の設定値や、指定色の属性値に基づき、色のトーン（ブラックネス、サチュレーション）および該色の各色空間での属性値を算出できる。
【０１１６】
本実施形態では、カラーチャート２を構成する色数として、おおよそ４８色相×９５トーン、４５００色であるものを例示した。しかし、４５００色はあくまでも例示であり、カラーチャート２の構成色は４５００色以外であってもよい。
本実施形態のカラーチャート２では、偶数のブラックネスも使用できることを示すために、ブラックネスとして偶数も使っている。しかし、カラーチャート２は、奇数のブラックネスのみを使っていてもよい。コンピュータ１は、カラーチャート２の設定変更を受け付けることにより、偶数のブラックネスも使用するカラーチャート２を表示してもよい。もちろん、カラーチャート２は、偶数のブラックネスのみを使っていてもよい。本実施形態のカラーチャート２では、サチュレーションとして、小数点のものも使用できることを示すために、小数点のサチュレーションも使っている。しかし、カラーチャート２は、整数のサチュレーションのみを使っていてもよい。コンピュータ１は、カラーチャート２の設定変更を受け付けることにより、小数点のサチュレーションも使用するカラーチャート２を表示してもよい。
【０１１７】
コンピュータ１は、生成したカラーチャート２において、ダイヤグラム３、４が示す規定に基づき、基本分類トーンの色群内に区分線２１を引き、各区分に系統色名を対応付けて表示できる。また、メモリ１２内には、予め、複数種類の色のセットが用意されていてもよく、コンピュータ１は、これらの色のセットに基づくカラーチャート２の選択を受け付け、該セットに基づくカラーチャート２を表示するようになっていてもよい。例えば、メモリ１２内には、上記４５万色のデータベースの他、詳細分類の色を表示するための１３５２３色（４８色相×２８１トーン）のデータベースや、標準分類の色を表示するための３４２７色のデータベース、基本分類の色を表示するための２３０色のデータベースが用意されていてもよい。
【０１１８】
表示画面６内には、カラーチャート２を表示するための第１表示領域６１がある。第１表示領域６１の左上には、第２表示領域６２がある。第１表示領域６１の右上には第３表示領域６３がある。コンピュータ１は、第１表示領域６１の上にある「拡大」の文字６１１がクリックされると、カラーチャート２を拡大表示する。コンピュータ１は、カラーチャート２を拡大表示している時に「縮小」の文字６１２がクリックされると、カラーチャート２の大きさを図４１の通常状態に戻す。カラーチャート２をスクロールバー６１３で上下左右に送ることで、第１表示領域６１に入りきらないカラーチャート２の部分を見ることができる。
【０１１９】
コンピュータ１は、第２表示領域６２の「色範囲指定」と記載されたタブ６２１の選択を受け付けると、マンセル値の範囲指定画面を第２表示領域６２に表示する。マンセル値は、マンセル色相、マンセル明度、マンセル彩度である。コンピュータ１は、チェックボックス６２１１にて、範囲指定に用いる属性（マンセル色相、マンセル明度、マンセル彩度）の指定を受け付ける。コンピュータ１は、数値入力ボックス６２１２に対する数値入力により、またはバーグラフ６２１３のつまみ６２１４をスライドさせることにより、範囲指定を受け付ける。
【０１２０】
コンピュータ１は、「チャートに反映」と書かれたボタン６２１５を押されると、カラーチャート２において指定範囲を表示する。コンピュータ１は、指定範囲外にマスクを掛け、指定範囲外の色を薄く表示する。図４１では、分かりやすくするため、指定範囲の色を、図２等のカラーチャート２の色に比べて濃く表示している。マスクのかけ方は、指定範囲外の色を薄く表示するほか、指定範囲外の色を表示しない方法でもよい。
【０１２１】
コンピュータ１は、カラーチャート２の各色をカーソルによって指定されると、指定色を枠で囲む等して強調表示する。コンピュータ１は、第３表示領域６３の「色情報」と記載されたタブ６３１が指定された状態で、色のクリックを受けつける。するとコンピュータ１は、該色に対応付けられた色情報を第３表示領域６３に表示する。
【０１２２】
色情報としては、カラーチャート２上の指定された色の拡大図６３１１がある。色情報としては、選択色のNOCSの３属性表示および系統色名、HVC、CIELAB、sRGBによる３属性表示がある。そのほか、色情報として、商品名や商品画像等の商品情報、商品購入画面、商品購入画面等のURL、国等による景観計画における色彩基準を、第３表示領域６３内や不図示のダイアログにより表示してもよい。メモリ１２内にて、各色に対してこれらの色情報は対応付けられており、コンピュータ１は、指定色に基づきメモリ１２から対応する色情報を抽出し、第３表示領域６３に表示する。例えば、コンピュータ１は、図４６に示すように、カラーチャート２上の指定された色に対応する商品画像Ａ１〜Ａ４、あるいは該色に対する関連度の高い商品画像Ａ１〜Ａ４を、メモリ１２内から検索して第３表示領域６３内に表示してもよい。各商品画像Ａ１〜Ａ４に該商品の購入画面のリンクが設定され、ユーザが商品画像Ａ１〜Ａ４を選択することで該商品を購入できるようになっていてもよい。コンピュータ１は、カラーチャート２上の指定された色の識別情報を他のサーバに送信してもよい。他のサーバは、電子モール等で販売する商品画像群から、受信する識別情報の色に対する関連度の高い商品画像Ａ１〜Ａ４を抽出し、コンピュータ１に送信してもよい。コンピュータ１は、抽出された商品画像Ａ１〜Ａ４を第３表示領域６３内に表示してもよい。
【０１２３】
図４２は、カラーチャート２，２Ｂ、９の切替画面を示す図である。
コンピュータ１は、第２表示領域６２の「レイヤー切り替え」と記載されたタブ６２３の選択を受け付けると、各種のカラーチャート２，２Ｂ、９の選択画面を第２表示領域６２に表示する。コンピュータ１は、チェックボックス６２１６のチェックにより、カラーチャート２（色名区分チャート）や簡易なカラーチャート２Ｂ（簡易な色名区分チャート）、および図３４に参照されるPCCSのカラーチャート９を表示する。
【０１２４】
コンピュータ１は、複数のカラーチャート２，２Ｂ、９がチェックされた場合、複数のカラーチャート２，２Ｂ、９を重ねて表示する。簡易なカラーチャート２Ｂは、本実施形態では、カラーチャート２の色のうち、ブラックネスが正の値かつ奇数の色のみとするとともに、サチュレーションが整数の色のみとしている。このような色の組み合わせは、予めメモリ１２内にデータベースとして記憶されている。コンピュータ１は、色数の少ないカラーチャート２，２Ｂ、９程、上層に表示する。
【０１２５】
図４３は、「ＮＯＣＳ番号指定」および「プロット」タブ６２２、６３２を開いた図である。
コンピュータ１は、第２表示領域６２の「ＮＯＣＳ番号指定」と記載されたタブ６２２の選択を受け付けると、ＮＯＣＳの三属性による範囲指定画面を第２表示領域６２に表示する。「色範囲指定」のタブ６２１を開いた際と同様、コンピュータ１は、チェックボックス６２１１、数値入力ボックス６２１２、つまみ６２１４を有するバーグラフ６２１３により、ＮＯＣＳの三属性による範囲指定画面を受け付ける。コンピュータ１は、「チャートに反映」と書かれたボタン６２１５を押されると、カラーチャート２において指定範囲を表示する（図４１参照）。
【０１２６】
コンピュータ１は、第３表示領域６３の「プロット」と記載されたタブ６３２の選択を受け付けると、ファイルの読み込み画面を第３表示領域６３に表示する。コンピュータ１は、参照ボタン６３２２を押されると、ファイルの選択を受け付ける不図示のダイアログを表示する。コンピュータ１は、ダイアログにてファイルの選択を受け付けると、選択ボックス６３２１にファイル名を表示する。ファイルは、各色の属性値にカウント値が対応付けられた集計データであるものとする。ファイルでは、例えば、カウント値１以上のものが、色に対応付けられる。コンピュータ１は、選択ボックス６３２１中のファイルが選択されると、カラーチャート２の各色の上に、対応するカウント値を表示する。
【０１２７】
（効果）
本実施形態のカラーチャート２，２Ａ，２Ｂでは、色が、まず基本分類トーン（pale tone、light tone、bright tone、vivid tone、・・blackish tone）で大きく区分けされており、さらに同一の基本分類トーンの色が詳細トーン（ブラックネスおよびサチュレーション）で区分けされており、色が階層化されて表示されている。そのため、本実施形態によれば、カラーチャート２，２Ａ，２Ｂの構成色全体を俯瞰的に見渡して色相と基本分類トーンで色を検討でき、詳細な色を選択したい場合には、同一の基本分類トーンの色群内から詳細トーンによって色を選択できる。このように、本実施形態によれば、ユーザは目的によって階層を変えて色を選択できる。
【０１２８】
また、本実施形態によれば、ヒュートーンシステムのカラーチャートを階層化させたことにより、俯瞰的な色の検討が可能な状態で非常に多数の色を系統的に表示できる。これにより、本実施形態のカラーチャート２，２Ａ，２Ｂを例えばＥＣサイト等で商品の色を指定するのに用いる場合、ユーザの想定する色とのズレの無い商品の購入が可能となる。また、本実施形態のカラーチャート２，２Ａ，２Ｂでは、各色相にて色が階層化されて表示されるので、ユーザは、色相を選択してカラーチャート２，２Ａ，２Ｂを等色相断面に切り替える必要が無く、色を容易に選択できる。
【０１２９】
本実施形態のカラーチャート２，２Ａ，２Ｂでは、非常に多数の色を系統的に表示できるので、各色に系統色名、属性値、様々な該色の商品等を紐づけることで、カラーチャート２，２Ａ，２Ｂを色の情報集積サイトに用いることができる。選択色の系統色名や属性値をユーザが知ることで、色の正確な指定、伝達が可能となる。
【０１３０】
本実施形態によれば、カラーチャート２，２Ａ，２Ｂにおいて非常に多数の色を表示できるところ、カラーチャート２，２Ａ，２Ｂ上にて区分がされ、各区分に系統色名が対応付けられて表示されるので、ユーザは、色の把握、および伝達を行いやすくなる。
【０１３１】
本実施形態のカラーチャート２，２Ａ，２Ｂによれば、基本分類トーンと系列名により色を容易に検索できる。また、系統色名が色に対応付けられて表示されるので、ユーザが色の把握、伝達を行いやすい。
【０１３２】
本実施形態のトーンコードダイヤグラム３は、全色相共通の基本分類トーンの区分を示すので、ユーザは、トーンコードダイヤグラム３を見ることで、全色相における基本分類トーンの区分を容易に把握できる。
【０１３３】
カラーチャート２，２Ａ，２Ｂ、５Ａの各色には系統色名が対応付けられる。系統色名は、色の調子を表す形容詞と、前記形容詞の後に続く基本色彩語であって、色彩を表す専用語である基本色彩語とにより構成される。系統色名は、色の調子を表す形容詞（tone）＋基本色彩語である。カラーチャート２，２Ａ，２Ｂ、５Ａにおいて、横一列に並ぶ色は、同一のトーンに属し、縦一列に並ぶ色は、同一または類似の基本色彩語に属することとなるので、色をカラーチャート２，２Ａ，２Ｂ、５Ａ上において系統色名で把握しやすい。系統色名は、トーンと基本色彩語とから構成されるので、伝達性が高くイメージしやすい。
【０１３４】
本実施形態のカラーコードダイヤグラム４は、詳細トーン（ブラックネスおよびサチュレーション）の色空間における系統色名の区分を示す。そのため、ユーザは、カラーコードダイヤグラム４を見ることで、詳細トーンの色空間における系統色名の範囲を容易に把握できる。
【０１３５】
本実施形態では、コンピュータ１は、対象色の属性値を取得し、カラーチャート２Ａの色のうち、対象色に対応する色を、該色にプロットすることにより示すことができる。そのため、ユーザは、容易に対象色を把握でき、便利である。
【０１３６】
本実施形態では、コンピュータ１は、カラーチャート２，２Ａ，２Ｂの色毎に、該色のカウント数を対応付けて表示するので、色毎のカウント数を分かりやすく表示できる。
【０１３７】
（変形例）
本実施形態では、詳細トーンがブラックネスおよびサチュレーションによって規定されたが、詳細トーンがライトネスおよびサチュレーションによって規定されてもよい。
【０１３８】
本実施形態では、コンピュータ１は、カラーチャート２Ａにおいて対象色をプロットしたが、カラーチャート２、２Ａ、２Ｂ、５、５Ａにおいて、対象色に対応する色を点滅表示したり、拡大表示したり、対象色に対応する色を太線で囲ったりするなどして、対象色に対応する色をユーザに報知してもよい。
【０１３９】
本実施形態では、コンピュータ１は、各色にカウント数が紐づけられた集計データから対象色を取得したが、単に色の属性値を取得するなどして対象色を取得してもよい。
【０１４０】
カラーチャート２、２Ａ、２Ｂにおいて、カラーチャート５、５Ａのように各色にカウント数表示領域５２を設け、各色のカウント数を表示してもよい。
【０１４１】
コンピュータ１の機能は、分散系により実現されてもよい。すなわち、トーンコードダイヤグラム３やカラーコードダイヤグラム４の規定や、ダイヤグラム３、４およびカラーチャート２、２Ａ、２Ｂ、５、５Ａを表示するための各種のデータを記憶する機能と、各種のデータからダイヤグラム３、４やカラーチャート２、２Ａ、２Ｂ、５、５Ａを作成する機能とは、互いに通信可能な別々のコンピュータ１（サーバ）が行ってもよい。
【符号の説明】
【０１４２】
２、２Ａ、５、５Ａ…カラーチャート、４…カラーコードダイヤグラム、２１…区分線、３０１〜３２１…共通区分線、４０１〜４１０…補助区分線。
【図１】
2019082344.tif 000003
【図２】
2019082344.tif 000004
【図３】
2019082344.tif 000005
【図４】
2019082344.tif 000006
【図５】
2019082344.tif 000007
【図６】
2019082344.tif 000008
【図７】
2019082344.tif 000009
【図８】
2019082344.tif 000010
【図９】
2019082344.tif 000011
【図１０】
2019082344.tif 000012
【図１１】
2019082344.tif 000013
【図１２】
2019082344.tif 000014
【図１３】
2019082344.tif 000015
【図１４】
2019082344.tif 000016
【図１５】
2019082344.tif 000017
【図１６】
2019082344.tif 000018
【図１７】
2019082344.tif 000019
【図１８】
2019082344.tif 000020
【図１９】
2019082344.tif 000021
【図２０】
2019082344.tif 000022
【図２１】
2019082344.tif 000023
【図２２】
2019082344.tif 000024
【図２３】
2019082344.tif 000025
【図２４】
2019082344.tif 000026
【図２５】
2019082344.tif 000027
【図２６】
2019082344.tif 000028
【図２７】
2019082344.tif 000029
【図２８】
2019082344.tif 000030
【図２９】
2019082344.tif 000031
【図３０】
2019082344.tif 000032
【図３１】
2019082344.tif 000033
【図３２】
2019082344.tif 000034
【図３３】
2019082344.tif 000035
【図３４】
2019082344.tif 000036
【図３５】
2019082344.tif 000037
【図３６】
2019082344.tif 000038
【図３７】
2019082344.tif 000039
【図３８】
2019082344.tif 000040
【図３９】
2019082344.tif 000041
【図４０】
2019082344.tif 000042
【図４１】
2019082344.tif 000043
【図４２】
2019082344.tif 000044
【図４３】
2019082344.tif 000045
【図４４】
2019082344.tif 000046
【図４５】
2019082344.tif 000047
【図４６】
2019082344.tif 000048
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートをディスプレイに表示し、
ユーザの入力を受け付ける入力部によりユーザから前記カラーチャート中の色の選択を受け付け、
選択色に対応する色情報を前記ディスプレイに表示することをコンピュータに実現させるコンピュータプログラム。
【請求項２】
画像を表示するディスプレイと、
ユーザの入力を受け付ける入力部と、
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを前記ディスプレイに表示し、
前記入力部を介してユーザによる色の選択を受け付け、
選択色に対応する色情報を前記ディスプレイに表示するプロセッサと、
を備えるコンピュータ。
【請求項３】
請求項２のコンピュータにおいて、
前記色名は、色の調子を表す形容詞と、前記形容詞の後に続く基本色彩語であって、色彩を表す専用語である基本色彩語とにより構成されるコンピュータ。
【請求項４】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートをディスプレイに表示し、
メモリ内の色の集計データを読み込み、
前記色に該色のカウント値を対応付けて前記カラーチャートを前記ディスプレイに表示するか、前記集計データにおいて１以上カウントされる色を前記カラーチャートにてプロットするとともに、前記区分毎に、当該区分内のプロット数を対応付けて前記カラーチャートを前記ディスプレイに表示することをコンピュータに実現させるコンピュータプログラム。
【請求項５】
画像を表示するディスプレイと、
ユーザの入力を受け付ける入力部と、
色の集計データを記憶するメモリと、
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを表示し、
前記色の集計データを読み込み、
前記色に該色のカウント値を対応付けて表示するか、前記集計データにおいて１以上カウントされる色を前記カラーチャートにてプロットするとともに、前記区分毎に、当該区分内のプロット数を対応付けて表示するプロセッサと、
を備えるコンピュータ。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートをディスプレイに表示し、
ユーザの入力を受け付ける入力部によりユーザから前記カラーチャート中の色の選択を受け付け、
選択色に対応する色情報を前記ディスプレイに表示することをコンピュータに実現させるコンピュータプログラム。
【請求項２】
画像を表示するディスプレイと、
ユーザの入力を受け付ける入力部と、
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートを前記ディスプレイに表示し、
前記入力部を介してユーザによる色の選択を受け付け、
選択色に対応する色情報を前記ディスプレイに表示するプロセッサと、
を備えるコンピュータ。
【請求項３】
請求項２のコンピュータにおいて、
前記色名は、色の調子を表す形容詞と、前記形容詞の後に続く基本色彩語であって、色彩を表す専用語である基本色彩語とにより構成されるコンピュータ。
【請求項４】
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートをディスプレイに表示し、
色の集計データを取得し、
前記集計データに基づく各色のカウント値を各色に対応付けて前記カラーチャートを前記ディスプレイに表示するか、前記集計データにおいて１以上カウントされる色を前記カラーチャートにてプロットするとともに、前記区分毎に、当該区分内のプロット数を対応付けて前記カラーチャートを前記ディスプレイに表示することをコンピュータに実現させるコンピュータプログラム。
【請求項５】
画像を表示するディスプレイと、
ユーザの入力を受け付ける入力部と、
カラーチャートであって、ブラックネスまたはライトネスとサチュレーションとにより定まる同一の第１トーンを有する異なる色相の色が第１方向に並び、色相毎に、前記第１方向と交差する第２方向において、一つまたは複数の前記第１トーンを内包する第２トーン毎に色が並び、かつ、前記第２トーンにおいて、色は、ブラックネスまたはライトネス順に並ぶとともに、ブラックネスまたはライトネスが同一の場合、サチュレーション順に並び、前記第２トーンの各色が区分線により区分され、区分毎に色名が対応付けられるカラーチャートをディスプレイに表示し、
色の集計データを取得し、
前記集計データに基づく各色のカウント値を各色に対応付けて前記カラーチャートを前記ディスプレイに表示するか、前記集計データにおいて１以上カウントされる色を前記カラーチャートにてプロットするとともに、前記区分毎に、当該区分内のプロット数を対応付けて前記カラーチャートを前記ディスプレイに表示するプロセッサと、
を備えるコンピュータ。